(57)【要約】【課題】比較的安価に対応し得る個室防水機能を備えたコネクタを提供する。【解決手段】電線Ｗの端末に接続された端子金具１０と、同端子金具１０が後方から挿入される端子収容室５０が設けられたハウジング４０と、端子金具１０における電線Ｗの接続部分１５を囲んだ形態で端子収容室５０に挿入され、かつ端子金具１０に対する係止部２３を備えたスリーブ２０と、スリーブ２０の後端に設けられた当接部３６に当接して抜け止めするべくハウジング４０の後面に装着されたホルダ６０と、電線Ｗを緊密に挿通しかつ端子収容室５０の後端部の内周面に密着するゴム栓７０と、が具備され、ゴム栓７０がスリーブ２０とは別体に形成され、ゴム栓７０は、当接部３６がホルダ６０に当接可能に露出した形態でスリーブ２０に装着されている。【選択図】図１８
2016012422.tif 000002
【特許請求の範囲】
【請求項１】
電線の端末に接続された端子金具と、
同端子金具が後方から挿入される端子収容室が設けられたハウジングと、
前記端子金具における電線の接続部分を囲んだ形態で前記端子収容室に挿入され、かつ前記端子金具に対する係止部を備えたスリーブと、
前記スリーブの後端に設けられた当接部に当接して抜け止めするべく前記ハウジングの後面に装着されたホルダと、
前記電線を緊密に挿通しかつ前記端子収容室の後端部の内周面に密着するゴム栓と、が具備され、
前記ゴム栓が前記スリーブとは別体に形成され、前記ゴム栓は、前記当接部が前記ホルダに当接可能に露出した形態で前記スリーブに装着されているコネクタ。
【請求項２】
前記スリーブが、略筒形をなす本体部の後端面から複数本の突起が周方向に間隔を開けて突出形成された形状とされるとともに、
前記ゴム栓には前記突起が密着して貫通される取付孔が形成され、
前記突起の突出端面が前記当接部となっている請求項１に記載のコネクタ。
【請求項３】
前記突起の突出端には、前記取付孔の後面側の孔縁部に係止する係止頭部が形成され、同係止頭部が前記当接部となっている請求項２に記載のコネクタ。
【請求項４】
前記端子金具が、相手端子と接続される筒形をなす端子接続部の後方に、前記電線の端末が圧着される電線圧着部が配された形状であるとともに、前記スリーブの前端には、前記係止部が前記端子接続部の後端に嵌合可能な形態で形成され、前記スリーブは、前記係止部を前記端子接続部に嵌合させつつ前記電線圧着部を囲んで装着される請求項１ないし請求項３のいずれか一項に記載のコネクタ。
【発明の詳細な説明】
【技術分野】
【０００１】
本明細書によって開示される技術は、個室防水機能を備えたコネクタに関する。
【背景技術】
【０００２】
個室防水機能を備えた充電用コネクタの一例として、特許第５０４４５０８号公報（下記特許文献１）に記載のものが知られている。このものは、電線の端末に端子金具とリアパッキンとが装着される一方、ハウジングには、同端子金具が収容される端子収容室が設けられている。端子金具は、フランジ部を挟んだ前側に相手端子と接続される電気接触部が、後側に電線の端末が圧着される電線接続部が設けられた構造であって、さらに電線接続部の回りを囲んでスリーブ部材が配されている。
【０００３】
端子金具は、スリーブ部材とリアパッキンともども端子収容室に後方から挿入され、端子収容室の途中位置に形成された段差面にフランジ部が当たった位置で停止される。併せてリアパッキンが、スリーブ部材をフランジ部との間で挟んだ形態で、端子収容室の後端部に緊密に嵌着され、ハウジングの後面に被着されたリアホルダで保持される。このようにリアパッキンが嵌着されることにより、端子収容室の個室防水が図られる一方、端子金具が後方へ移動しようとした場合には、フランジ部で押されたスリーブ部材が、リアホルダで保持されたリアパッキンで受けられることによりそれが規制され、すなわち端子金具の抜け止めが図られるようになっている。
【先行技術文献】
【特許文献】
【０００４】
【特許文献１】特許第５０４４５０８号公報
【発明の概要】
【発明が解決しようとする課題】
【０００５】
上記従来構造では、リアパッキンが、スリーブ部材を受けて端子金具の抜け止めを行う機能も併せて発揮するようになっているため、特に厚さ方向においては剛性を備える必要がある。そのため上記先行技術文献のリアパッキンは、合成樹脂製のコアをインサートとしたインサート成形により製造されており、成形工程の複雑さ等からコスト高を招くために、その改良が切望されていた。
本明細書によって開示された技術は上記のような事情に基づいて完成されたものであって、その目的は、比較的安価に対応し得る個室防水機能を備えたコネクタを提供するところにある。
【課題を解決するための手段】
【０００６】
本明細書によって開示される技術は、電線の端末に接続された端子金具と、同端子金具が後方から挿入される端子収容室が設けられたハウジングと、前記端子金具における電線の接続部分を囲んだ形態で前記端子収容室に挿入され、かつ前記端子金具に対する係止部を備えたスリーブと、前記スリーブの後端に設けられた当接部に当接して抜け止めするべく前記ハウジングの後面に装着されたホルダと、前記電線を緊密に挿通しかつ前記端子収容室の後端部の内周面に密着するゴム栓と、が具備され、前記ゴム栓が前記スリーブとは別体に形成され、前記ゴム栓は、前記当接部が前記ホルダに当接可能に露出した形態で前記スリーブに装着されているところに特徴を有する。
【０００７】
ゴム栓は、スリーブに対して当接部が露出した形態で装着される。端子金具がスリーブともどもハウジングの端子収容室に挿入されると、スリーブに装着されたゴム栓が端子収容室の後端部に緊密に嵌着され、かつスリーブはハウジングの後面に装着されたホルダで抜け止めされる。
電線に後方への引っ張り力が作用した場合には、端子金具が、ホルダにより抜け止めされたスリーブの係止部に当たって停止され、結果、端子金具は対応する端子収容室内に抜け止めされて収容される。併せて、抜け止めされたスリーブの後端部に装着されたゴム栓が端子収容室の後端部に嵌着されることで、より確実な個室防水が図られる。
特にゴム栓がスリーブとは別体に形成されて、後付けにより装着された構造であるから、比較的安価に対応することができる。
【０００８】
また、以下のような構成としてもよい。
（１）前記スリーブが、略筒形をなす本体部の後端面から複数本の突起が周方向に間隔を開けて突出形成された形状とされるとともに、前記ゴム栓には前記突起が密着して貫通される取付孔が形成され、前記突起の突出端面が前記当接部となっている。
ゴム栓は、取付孔に突起を圧入しつつ本体部の後端面に突き当てることでスリーブの後端部に装着され、突起の突出端面がホルダに当たって受けられることで、スリーブの抜け止めが図られる。
【０００９】
（２）前記突起の突出端には、前記取付孔の後面側の孔縁部に係止する係止頭部が形成され、同係止頭部が前記当接部となっている。突起に係止頭部を設けたことで、ゴム栓がより強固にスリーブに装着される。
【００１０】
（３）前記端子金具が、相手端子と接続される筒形をなす端子接続部の後方に、前記電線の端末が圧着される電線圧着部が配された形状であるとともに、前記スリーブの前端には、前記係止部が前記端子接続部の後端に嵌合可能な形態で形成され、前記スリーブは、前記係止部を前記端子接続部に嵌合させつつ前記電線圧着部を囲んで装着される。
スリーブは、係止部を端子接続部の後端部に嵌め、またスリーブに装着されたゴム栓と同ゴム栓に挿通されたと電線との間のフリクションにより、端子金具に位置決めされて仮組みされ、すなわちサブアッシイが構成される。そのため、スリーブともども端子金具を端子収容室に挿入する作業を能率良く行うことができる。
【発明の効果】
【００１１】
本明細書によって開示されるコネクタによれば、端子金具の抜け止め構造と、端子収容室の個室防水構造とを、比較的に安価に構築することができる。
【図面の簡単な説明】
【００１２】
【図１】実施形態１に係る端子金具の斜視図
【図２】同平面図
【図３】同正面図
【図４】スリーブの斜視図
【図５】同正面図
【図６】同背面図
【図７】同底面図
【図８】ゴム栓の斜視図
【図９】同断面図
【図１０】端子金具にスリーブが組み付けられた状態を示す斜視図
【図１１】同側面図
【図１２】同正面図
【図１３】同背面図
【図１４】同底面図
【図１５】図１２のXV−XV線断面図
【図１６】図１２のXVI−XVI線断面図
【図１７】コネクタの正面図
【図１８】図１７のXVIII−XVIII線断面図
【図１９】実施形態２に係るスリーブの底面図
【図２０】同背面図
【図２１】ゴム栓の断面図
【図２２】端子金具にスリーブが組み付けられた状態の平断面図
【図２３】コネクタの断面図
【発明を実施するための形態】
【００１３】
＜実施形態１＞
実施形態１を図１ないし図１８に基づいて説明する。この実施形態では充電用コネクタを例示しており、ガン状ケース（図示せず）の先端に装着されて、車両に設けられた車両側コネクタに嵌合されるようになっている。
本実施形態の充電用コネクタＣ（以下、単にコネクタＣ）は５極コネクタであって、図１８に示すように、電線Ｗの端末に接続された端子金具１０と、同端子金具１０が収容されるハウジング４０と、を備えて構成されている。
【００１４】
端子金具１０は、２本のパワー端子、１本のアース端子及び２本の信号用端子からなり、種類によって径寸法等を異にする場合があるが、基本的な構造は同様である。以下には、信号用端子を例に採って説明する。
端子金具１０は雌端子であって、導電性に優れた金属板をプレス成形することにより、図１ないし図３に示すような形状に形成されている。
【００１５】
端子金具１０は、相手の車両側端子（雄端子）と接続される端子接続部１１と、連結部１２と、電線Ｗの端末が圧着される電線圧着部１５と、電線載置部１７とが、前方から順次に連なって形成されている。
端子接続部１１は、円筒形に回曲形成されたものであって、その先端部が絞られ、かつ複数本のすり割りが入れられることで、弾性的に拡縮径可能な接点部１１Ａが形成されている。
電線圧着部１５は、共にオープン形式のワイヤバレル１６Ａとインシュレーションバレル１６Ｂとを前後に並べて設けた形状である。
【００１６】
連結部１２は、端子接続部１１と電線圧着部１５とを連結するものであり、上面開放の断面Ｕ字形に形成されている。連結部１２は、前側の４割弱の長さ領域が、端子接続部１１の径と同じ幅寸法を持った等幅部１３Ａであり、残りの後側の領域が、後方に向けて次第に幅狭となるテーパ部１３Ｂとなっている。
図１及び図２に示すように、連結部１２の等幅部１３Ａにおける左右の上縁の後端部（テーパ部１３Ｂとの繋ぎ部分側）には、一対の位置決め片１４が立ち上がり形成されている。
電線載置部１７は、電線Ｗの端末を載せて後記する圧着時に際して電線Ｗを所定姿勢に保持する等に機能する。
【００１７】
ハウジング４０は合成樹脂製であって、図１７及び図１８に示すように、短寸の円柱形をなす基部４２の前面に、５本の筒部４３が所定の配置で突設されたハウジング本体４１を備えている。
ハウジング本体４１における基部４２の前端の外周には、フランジ４５が形成されている。フランジ４５の前面には、筒部４３群の外周との間に所定間隔を開けて前面開口の筒形をなすフード部４６が形成されている。フード部４６の開口縁は、図１８に示すように、筒部４３の前端よりも所定寸法前方に突出している。なお、詳しくは図示しないが、同開口縁は、上部に比べて下部側が前方に突出した傾斜縁となっている。
【００１８】
ハウジング４０のフード部４６は、図示はしないが車両のパネルに開口された差込口に緊密に挿通され、フランジ４５が差込口の表面側の口縁に当たることで差し込みが停止され、それに伴い、フード部４６並びにハウジング本体４１の前部側（筒部４３）が、差込口の裏側に配された相手の車両側コネクタと嵌合されるようになっている。
一方、ハウジング本体４１の基部４２は、ガン状ケースの先端に嵌って取り付けられるようになっており、そのため基部４２の前端部外周には、ガン状ケースの先端開口が嵌って取り付けられる取付部４８が形成されている。
【００１９】
ハウジング本体４１内には、基部４２の後面から内部を貫通して各筒部４３に個別に達するようにして、前後方向に延びた５個の端子収容室５０が、図１７に示すような配置で形成されている。５個の端子収容室５０のうち、同図の上段の２個がパワー端子用であり、また、下段の３個のうち、中央の少し下がった位置のものがアース端子用、左右の２個が信号用端子用となっている。
各端子収容室５０は、収容する端子金具１０の種類に対応して径寸法等を異にする場合があるが、基本的な構造は同様である。以下には、信号用端子の端子収容室５０を例に採って説明する。
【００２０】
端子収容室５０は、図１８に示すように、筒部４３の内部である前半側が小径で、基部４２内を貫通している後半側が大径となった段差状に形成されている。より詳細には、小径の前半部が、端子金具１０における端子接続部１１が収容される接続部収容部５１であり、大径の後半部が、端子金具１０における電線圧着部１５が収容される圧着部収容部５２となっている。前側の接続部収容部５１と後側の圧着部収容部５２との境には、段差面５４が形成されている。
接続部収容部５１の前端部には、内周面が縮径されることにより、相手の車両側端子が挿入される端子挿入口５１Ａが形成されている。
【００２１】
圧着部収容部５２には、端子金具１０における電線圧着部１５の回りに配されるスリーブ２０が挿入可能となっている。スリーブ２０は合成樹脂製であって、図４ないし図７に示すように、断面略Ｃ字形の下面開放の筒形をなす本体部２１を備えている。同本体部２１は詳細には、下面開放の半円筒部の左右両側縁から所定長さの側壁を垂設した形状である。
【００２２】
本体部２１の前面には、端子収容室５０の段差面５４に当接するストッパ板２２が形成されている。ストッパ板２２は、圧着部収容部５２内に略緊密に嵌合可能な外径寸法を有する円板状をなし、その前面の中心には、端子金具１０に係止する係止部２３が突出形成されている。
係止部２３は、端子金具１０における連結部１２の前端部から端子接続部１１の後端部に亘って嵌る丸棒状の嵌合棒２４と、同嵌合棒２４の突出端側の所定寸法を除いてその上面を覆うようにして形成された半円筒形をなす突当部２５とを備えて構成されている。
ストッパ板２２における係止部２３の下方には、突当部２５と同幅の逃がし溝２６が下縁に開放して形成されている。また、係止部２３の左右両側には、端子金具１０の連結部１２に立てられた左右一対の位置決め片１４が挿通される位置決め溝２７が形成されている。
【００２３】
さて、スリーブ２０の後端部には、同スリーブ２０とは別体に形成されたゴム栓７０が、いわゆる後付けにより装着可能となっている。
ゴム栓７０は、図８及び図９に示すように、電線Ｗが緊密に挿通される中心孔７１を有するリング状をなし、内外周にそれぞれリップ７２Ａ，７２Ｂが形成されて、その外周面が、端子収容室５０における圧着部収容部５２の後端部の内周面に密着可能となっている。
【００２４】
さらにゴム栓７０の装着構造を説明する。ゴム栓７０における中心孔７１の回りの環形領域には、前後面に貫通した２個の取付孔７４が、１８０度の角度間隔を開けて形成されている。取付孔７４の内周面にはリップ７４Ａが形成されている。
一方、スリーブ２０の本体部２１の後面には、ゴム栓７０の装着板３０が形成されている。同装着板３０は、前端のストッパ板２２と同じ外径寸法を有する円板状に形成されており、図６に示すように、その中心に、電線Ｗが挿通される電線挿通孔３１が形成されている。電線挿通孔３１の下面には、同電線挿通孔３１の直径と同幅の挿通溝３２が、下縁に開放して形成されている。
【００２５】
装着板３０の後面における電線挿通孔３１を挟んだ左右両側には、図７に示すように、ゴム栓７０の取付孔７４に緊密に貫通される丸棒状の突起３４が突出形成されている。各突起３４は、ゴム栓７０の厚さに匹敵する長さを有し、その突出端には、取付孔７４の後面側の孔縁部に係止する係止頭部３５が形成されている。同係止頭部３５の後端面３６は平坦面とされている。
【００２６】
上記したスリーブ２０におけるストッパ板２２の前面から、突起３４の係止頭部３５の後端面３６までの長さ寸法が、端子収容室５０の圧着部収容部５２の長さ、すなわち段差面５４から圧着部収容部５２の後端開口面までの長さ寸法に等しくなるように形成されている。
また、スリーブ２０の本体部２１における左右の側面には、下縁に開放した窓孔２９が形成されている。
【００２７】
ハウジング本体４１の基部４２の後端面には、スリーブ２０を抜け止めする等に機能するリアホルダ６０が装着可能となっている。リアホルダ６０は合成樹脂製であって、電線Ｗの挿通孔６２が形成された円形のホルダ基板６１の周縁から、ロック片６３が前方に向けて突出形成された概ねキャップ状に形成されている。リアホルダ６０がハウジング本体４１の基部４２の後端部に被せられ、ホルダ基板６１が基部４２の後面に当接したところで、ロック片６３が基部４２の外周面に形成されたロック突部（図示せず）に弾性的に嵌って取り付けられる。
このとき詳しくは後記するように、ホルダ基板６１が各スリーブ２０における突起３４の係止頭部３５の後端面３６に当接して受けることにより、各スリーブ２０の抜け止めが図られるようになっている。したがって、突起３４の係止頭部３５の後端面３６が、本開示技術における「当接部」に相当する。
【００２８】
続いて、本実施形態の作用を説明する。
コネクタＣは以下のような手順で組み立てられる。まず、電線Ｗの端末に、図１に示すように形成された端子金具１０が接続される。それには、電線Ｗにゴム栓７０が先通しされる一方、同電線Ｗに対して皮剥ぎ等の端末処理が施される。そして、図１５に参照して示すように、電線Ｗが電線載置部１７に載せられて位置決めされつつ、電線Ｗの露出された芯線Ｗａの端末がワイヤバレル１６Ａに、絶縁被覆Ｗｂの端末がインシュレーションバレル１６Ｂにそれぞれかしめられて固着される。
【００２９】
上記のように電線Ｗの端末に接続された端子金具１０における電線圧着部１５の回りに、スリーブ２０が装着される。具体的にはスリーブ２０は、ストッパ板２２に切られた位置決め溝２７に位置決め片１４を嵌めて姿勢を定めつつ、係止部２３における嵌合棒２４を端子金具１０の連結部１２に載せて嵌め、続いてスリーブ２０を前方に押して嵌合棒２４の先端を端子接続部１１の後端に嵌合し、突当部２５が端子接続部１１の後端縁の上半分に当たったところで押し込みが停止される。
なお、図１４に示すように、電線載置部１７の両端は、スリーブ２０の側面に形成された窓孔２９に嵌って逃がされる。
【００３０】
併せて、端子金具１０の後方に引き出された電線Ｗが、スリーブ２０の装着板３０の挿通溝３２に径方向に通されて中心の電線挿通孔３１に嵌められる。続いて、先通しされていたゴム栓７０が電線Ｗに沿って前方に移動され、同ゴム栓７０に形成された取付孔７４が、装着板３０に突設された係止頭部３５付きの突起３４に対して押し込まれる。
ゴム栓７０は、取付孔７４が弾性的に拡径変形しつつ押し込まれ、その前面が装着板３０に当たったところで係止頭部３５が取付孔７４の後方に抜け、図１４及び図１６に示すように、同係止頭部３５が取付孔７４の後面側の孔縁部に係止することにより、ゴム栓７０がスリーブ２０の後端部に外れ止めされて装着された状態となる。
スリーブ２０の前端に設けられた係止部２３を構成する嵌合棒２４の先端が、端子接続部１１の後端部に嵌り、またスリーブ２０に装着されたゴム栓７０の中心孔７１とそこに通された電線Ｗとの間にフリクションが作用していることにより、電線Ｗの端末に接続された端子金具１０にスリーブ２０が位置決めされて装着されたサブアッシイが構成される。
【００３１】
上記のようにスリーブ２０がサブアッシイされた形態の端子金具１０が、ハウジング本体４１に形成された対応する端子収容室５０に後方から挿入される。図１８に示すように、スリーブ２０の前端のストッパ板２２が、端子収容室５０内に設けられた段差面５４に当たるまで挿入されたところで停止され、併せてスリーブ２０の後端部に装着されたゴム栓７０が、圧着部収容部５２の後端部に緊密に嵌着される。
【００３２】
全端子収容室５０に対して所定の端子金具１０並びにスリーブ２０が挿入されたら、ハウジング本体４１の基部４２の後端面から引き出された電線Ｗが挿通孔６２に挿通されつつ、リアホルダ６０が基部４２の後方に配される。リアホルダ６０が電線Ｗに沿って前方に移動し、基部４２の後端面に被着されてロックされると、ホルダ基板６１が、スリーブ２０の装着板３０に突設された突起３４の係止頭部３５の後端面３６に当接し、スリーブ２０が抜け止めされる。
これにより、電線Ｗに後方への引っ張り力が作用した場合には、端子金具１０の端子接続部１１の後端縁が、リアホルダ６０により抜け止めされたスリーブ２０の係止部２３（突当部２５）に当たって停止され、結果、各端子金具１０は対応する端子収容室５０内に抜け止めされて収容されることになる。
【００３３】
以上によりコネクタＣの組み立てが完了し、このように組み立てられたコネクタＣがガン状ケースの先端部に装着され、コネクタＣの後方に引き出された電線Ｗは、一纏めにされた上でガン状ケースの後端から引き出され、外部電源と接続される。
充電作業時には、ガン状ケースの先端に設けられたコネクタＣが、車両のパネルに開口された差込口を通して、相手の車両側コネクタと嵌合される。
ここで、ガン状ケースに浸水したのち、ハウジング４０の後面側から浸水しようした場合に、圧着部収容部５２の後端部にゴム栓７０が嵌着されていることで、圧着部収容部５２内に浸水することが防がれる。
【００３４】
以上のように実施形態１によれば、端子金具１０に後方への移動力が作用した場合には、端子金具１０がリアホルダ６０により抜け止めされたスリーブ２０の係止部２３（突当部２５）に当たって停止され、結果、端子金具１０は対応する端子収容室５０内に抜け止めされて収容される。併せて、同抜け止めされたスリーブ２０の後端部に装着されたゴム栓７０が、圧着部収容部５２の後端部に密着して嵌着されることにより、圧着部収容部５２に対する防水が担保される。
特にゴム栓７０がスリーブ２０とは別体に形成されて、いわゆる後付けにより装着された構造であるから、安価に対応することができる。
【００３５】
スリーブ２０は、係止部２３を構成する嵌合棒２４の先端を端子接続部１１の後端部に嵌め、またスリーブ２０に装着されたゴム栓７０の中心孔７１と電線Ｗとの間のフリクションにより、端子金具１０に位置決めされて仮組みされ、すなわちサブアッシイが構成されるから、スリーブ２０ともども端子金具１０を端子収容室５０に挿入する作業を能率良く行うことができる。
ゴム栓７０をスリーブ２０の装着板３０に当てて装着する部分において、ゴム栓７０の取付孔７４に圧入される突起３４には係止頭部３５が設けられているからゴム栓７０が外れ難く、サブアッシイを端子収容室５０に挿入する作業がさらにしやすくなる。
【００３６】
＜実施形態２＞
次に、実施形態２を図１９ないし図２３によって説明する。この実施形態２では、上記の実施形態１に対して、スリーブ２０Ｘの後端にゴム栓７０Ｘを装着する部分の構造に変更が加えられている。以下では、実施形態１との相違点を主に説明し、実施形態１と同一機能を有する部位、部材については、同一符号を付すことで、説明を省略しまたは簡略化する。
【００３７】
この実施形態では、図１９及び図２０に示すように、スリーブ２０Ｘにおける装着板３０の後面に突出形成された一対の突起３４Ｘが、係止頭部を持たない真直な丸棒から形成されている。同突起３４Ｘの長さＬは、実施形態１における係止頭部３５を含めた突起３４の長さと同一である。そして、突起３４Ｘの後端面３６Ｘが、リアホルダ６０のホルダ基板６１に当接する「当接部」となっている。
【００３８】
ゴム栓７０Ｘは、図２１に示すように、基本的な構造は実施形態１のゴム栓７０と同じであるが、同ゴム栓７０と比べて肉厚に形成されている。詳細には、ゴム栓７０Ｘは、突起３４Ｘの長さＬ（図１９参照）に匹敵する厚さＴを有している。したがって、ゴム栓７０Ｘが、取付孔７４に突起３４Ｘを挿通しつつ押し込まれ、図２２に示すように、装着板３０に当たって押し込みが停止されたところでは、突起３４Ｘの後端面３６Ｘ（当接部）が、取付孔７４の後端開口と面一の位置に来るようになっている。
スリーブ２０Ｘが端子金具１０に対してサブアッシイされることも含めて、その他の構造については実施形態１と同様である。
【００３９】
図２３に示すように、全端子収容室５０に対して所定の端子金具１０並びにスリーブ２０Ｘが挿入されたのち、リアホルダ６０が、ハウジング本体４１の基部４２の後端面に被着されてロックされると、ホルダ基板６１が、スリーブ２０Ｘの装着板３０に突設された突起３４Ｘの後端面３６Ｘに当接し、スリーブ２０Ｘが抜け止めされる。
これにより、電線Ｗに後方への引っ張り力が作用した場合には、端子金具１０の端子接続部１１の後端縁が、リアホルダ６０により抜け止めされたスリーブ２０Ｘの係止部２３（突当部２５）に当たって停止され、結果、各端子金具１０は対応する端子収容室５０内に抜け止めされて収容される。
併せて、同抜け止めされたスリーブ２０Ｘの後端部に装着されたゴム栓７０Ｘが、圧着部収容部５２の後端部に密着して嵌着されることにより、圧着部収容部５２に対する防水が担保される。
【００４０】
実施形態２では、ゴム栓７０Ｘを装着するべく突起３４Ｘを単なる丸棒形状としたから、スリーブ２０Ｘ全体の形状が簡単化され、成形金型を簡易化でき、またゴム栓７０Ｘの装着作業も簡単となり、ひいては製造コストの低減に寄与できる。
また、係止頭部を除去した分、突起３４Ｘを長くしたから、それだけゴム栓７０Ｘについて肉厚のものを適用でき、シール機能をさらに高めることが可能となる。
【００４１】
＜他の実施形態＞
本明細書で開示される技術は、上記記述及び図面によって説明した実施形態に限定されるものではなく、例えば次のような実施形態も含まれる。
（１）ゴム栓を装着するべくスリーブの後端面に突出形成された突起の数は、２本に限らず、３本以上であってもよい。
（２）突起の形状も、上記実施形態に例示した丸棒状に限らず、円弧形壁等、他の形状であってもよい。
（３）上記実施形態では、端子金具に対してスリーブを組み付けてサブアッシイを構成するようにしたが、サブアッシイ化せず、個別に端子収容室に挿入する形式としてもよい。
（４）上記実施形態では、金属板のプレス成型品によるオープンバレル構造の端子金具を例示したが、金属棒の切削加工品によるクローズドバレル構造の端子金具を採用してもよい。
（５）上記実施形態では充電用コネクタを例示したが、これに限らず、個室防水機能を備えるコネクタ全般に広く適用することができる。
【符号の説明】
【００４２】
Ｃ…充電用コネクタ（コネクタ）
Ｗ…電線
１０…端子金具
１１…端子接続部
１５…電線圧着部
２０，２０Ｘ…スリーブ
２１…本体部
２３…係止部
２４…嵌合棒
２５…突当部
３０…装着板
３４，３４Ｘ…突起
３５…係止頭部
３６…（係止頭部３５の）後端面（当接部）
３６Ｘ…（突起３４Ｘ）後端面（当接部）
４０…ハウジング
４１…ハウジング本体
５０…端子収容室
５２…圧着部収容部
６０…リアホルダ（ホルダ）
６１…ホルダ基板
７０，７０Ｘ…ゴム栓
７１…中心孔
７４…取付孔
【図１】
2016012422.tif 000003
【図２】
2016012422.tif 000004
【図３】
2016012422.tif 000005
【図４】
2016012422.tif 000006
【図５】
2016012422.tif 000007
【図６】
2016012422.tif 000008
【図７】
2016012422.tif 000009
【図８】
2016012422.tif 000010
【図９】
2016012422.tif 000011
【図１０】
2016012422.tif 000012
【図１１】
2016012422.tif 000013
【図１２】
2016012422.tif 000014
【図１３】
2016012422.tif 000015
【図１４】
2016012422.tif 000016
【図１５】
2016012422.tif 000017
【図１６】
2016012422.tif 000018
【図１７】
2016012422.tif 000019
【図１８】
2016012422.tif 000020
【図１９】
2016012422.tif 000021
【図２０】
2016012422.tif 000022
【図２１】
2016012422.tif 000023
【図２２】
2016012422.tif 000024
【図２３】
2016012422.tif 000025